(57)【要約】【課題】部品点数を少なく抑えた上で、パネルの連結作業を能率良く行う。【解決手段】梁２２を跨いで連結金具５０が固定され、一方の取付板５２が左側のパネル１２の連結端部４０Ｒに固定される一方、他方の取付板５３が右側のパネル１２の連結端部４０Ｌに当てられ、この取付板５３に同連結端部４０Ｌに螺着されるボルト４３を挿通する長孔５５と、被押圧板５６が設けられる。取付板５３の上面には、ボルト４３が挿通される軸孔６２と、周面カム６４とを備えた引き寄せ金具６０が装着される。引き寄せ金具６０を軸孔６２を中心に回動させることで周面カム６４を小距離部６５Ｓから大距離部６５Ｌに向けて順次に被押圧板５６に接触させることで、右側のパネル１２の連結端部４０Ｌが左側のパネル１２の連結端部４０Ｒに引き寄せられて端面同士が接合される。【選択図】図１２
2011137329.tif 000002
【特許請求の範囲】
【請求項１】
複数枚の断熱性のパネルを並べたパネル列が複数並列に配されることで天井が形成される組立式貯蔵庫において、
隣り合うパネル列の連結縁に沿って配される梁と、
前記各パネル列にそれぞれ属して端面同士を接合させつつ連結される一対のパネルの各連結端部の間に渡される形態で前記梁に固定される連結金具とが備えられ、
前記連結金具の一側が一方のパネルの連結端部に固定可能であるとともに、
同連結金具の他側には他方のパネルの連結端部に当てられる取付板が設けられ、この取付板には、当該他方のパネルの連結端部に螺着可能なボルトをクリアランスを持って挿通する挿通孔と、端縁に立ち上がり形成された被押圧板が設けられ、
前記取付板の上面には、前記ボルトが挿通される軸孔と、周方向に沿って前記軸孔からの距離が次第に大きくなる周面カムとを備えた引き寄せ金具が装着可能とされ、
この引き寄せ金具を前記軸孔を中心に回動させることで前記周面カムを小距離部から大距離部に向けて順次に前記被押圧板に接触させる構成としたことを特徴とする組立式貯蔵庫のパネル連結装置。
【請求項２】
前記引き寄せ金具には、同引き寄せ金具を回動させるべくハンマ等の打圧具で打圧される被打圧部が設けられていることを特徴とする請求項１記載の組立式貯蔵庫のパネル連結装置。
【請求項３】
前記引き寄せ金具には、ドライバ等の回動操作用の工具を抜き差し可能に係止する係止部が設けられていることを特徴とする請求項１記載の組立式貯蔵庫のパネル連結装置。
【請求項４】
複数枚の断熱性のパネルを並べたパネル列が複数並列に配されることで天井が形成される組立式貯蔵庫において、
隣り合うパネル列の連結縁に沿って配される梁と、
前記各パネル列にそれぞれ属して端面同士を接合させつつ連結される一対のパネルの各連結端部の間に渡される形態で前記梁に固定される連結金具とが備えられ、
前記連結金具の一側が一方のパネルの連結端部に固定可能であるとともに、
同連結金具の他側には他方のパネルの連結端部に当てられる取付板が設けられ、この取付板には、当該他方のパネルの連結端部に螺着可能なボルトをクリアランスを持って挿通する挿通孔と、端縁に立ち上がり形成された被押圧板が設けられており、
かつ、前記取付板の上面に当接可能であって、前記ボルトの頭部が挿通される軸孔及び周方向に沿って軸孔からの距離が次第に大きくなる周面カムを備えた引き寄せ板と、同引き寄せ板から突設された把手とを有する引き寄せ治具が具備されていることを特徴とする組立式貯蔵庫のパネル連結装置。
【発明の詳細な説明】
【技術分野】
【０００１】
本発明は、組立式貯蔵庫におけるパネル連結装置に関する。
【背景技術】
【０００２】
プレハブ冷蔵庫は、断熱性のパネルを複数枚備えてこれらのパネルを設置先で所定に組み立てることにより構築される。その際、坪数（内容積）の大きいものになると、天井についても、多数枚のパネルが端面を接合させつつ縦横に並べて連結されることで形成される。その際、例えば天井が、１２枚のパネルを縦３列、横４列に並べて形成されるような場合は、同じようにパネルを繋いで形成した側壁に対して、１辺のみが載ったり、あるいは全辺が載らないパネルが出てくる。そのような場合は、プレハブ冷蔵庫を設置する建屋の天井から梁を吊り下げ、その梁を例えば、上記のようにパネルが配された天井のうち、４枚横に並んだパネル列同士が縦方向において繋がれる繋ぎ目に沿って当てられ、ボルト・ナットで固定して天井を支えるといった手段が採られている。
【０００３】
上記のような手段で天井を構築する場合、横方向に並んだ各列のパネルの端面同士はともかく、梁を介して前後に連結されるパネルの端面同士の間には隙間ができる可能性があり、梁に固定する際にその隙間を詰める必要がある。  
従来、この隙間を詰める方法の一例として、引用文献１に記載されたものが知られている。このものは、前後に連結される一対のパネルの各連結端部にそれぞれ、梁を通して垂下されたボルトが螺合されるナットが設けられるとともに、上記のボルトを挿通可能でかつ梁の長さ方向に対して斜め姿勢をなすカム溝が形成された引き寄せ金具が設けられる。そして、梁におけるボルトの挿通箇所に引き寄せ金具が載せられたのち、ボルトが引き寄せ金具のカム溝から梁を通して垂下されてナットに螺合されることにより仮止めされ、この状態から、各引き寄せ金具をハンマで叩くことにより梁の長さ方向に沿った互いに逆向きの方向に移動させると、カム溝の機能により、ボルトすなわち一対のパネルが互いに接近するように引き寄せられ、対向する端面同士が接合したところで、両ボルトを本締めして固定するようになっている。
【先行技術文献】
【特許文献】
【０００４】
【特許文献１】特許第３７６８０９８号公報
【発明の概要】
【発明が解決しようとする課題】
【０００５】
従来の上記方法では、パネルの引き寄せを行う箇所ごとに２枚ずつの引き寄せ金具が必要であって部品点数が多くなり、また両引き寄せ金具をそれぞれハンマで叩いて移動させるのであるから作業が面倒となる嫌いがあり、さらなる改良が切望されていた。  
本発明は上記のような事情に基づいて完成されたものであって、その目的は、部品点数を少なく抑えた上で、パネルの連結作業を能率良く行うことができるようにするところにある。
【課題を解決するための手段】
【０００６】
本発明の組立式貯蔵庫のパネル連結装置は、複数枚の断熱性のパネルを並べたパネル列が複数並列に配されることで天井が形成される組立式貯蔵庫において、隣り合うパネル列の連結縁に沿って配される梁と、前記各パネル列にそれぞれ属して端面同士を接合させつつ連結される一対のパネルの各連結端部の間に渡される形態で前記梁に固定される連結金具とが備えられ、前記連結金具の一側が一方のパネルの連結端部に固定可能であるとともに、同連結金具の他側には他方のパネルの連結端部に当てられる取付板が設けられ、この取付板には、当該他方のパネルの連結端部に螺着可能なボルトをクリアランスを持って挿通する挿通孔と、端縁に立ち上がり形成された被押圧板が設けられ、前記取付板の上面には、前記ボルトが挿通される軸孔と、周方向に沿って前記軸孔からの距離が次第に大きくなる周面カムとを備えた引き寄せ金具が装着可能とされ、この引き寄せ金具を前記軸孔を中心に回動させることで前記周面カムを小距離部から大距離部に向けて順次に前記被押圧板に接触させる構成としたところに特徴を有する。
【０００７】
上記構成による作用は以下のようである。梁の両側から突き合わされる一対のパネルのうち一方のパネルの連結端部が、梁に固定された連結金具の一側に固定される。連結金具の他側の取付板が他方のパネルの連結端部に当てられるとともに、取付板上に、引き寄せ金具がその周面カムの小距離部を被押圧部に接触させた姿勢で載置され、引き寄せ金具の軸孔から取付板の挿通孔にボルトが通されて他方のパネルの連結端部に仮止め状態で螺着される。この状態から引き寄せ金具を軸孔を中心に回動させると、同引き寄せ金具の周面カムが小距離部から大距離部に向けて次第に被押圧板に接触してこれを押圧するカム機能により、仮止めされたボルトひいては他方のパネルの連結端部が、一方のパネルの連結端部に向けて引き寄せられ、ついには両端面が接合される。そののち仮止めされていたボルトを本締めして、引き寄せ金具と他方のパネルの連結端部とを固定すると、両パネルの端面同士が正規に接合した状態において、両パネルの連結部分が梁に対して固定される。
【０００８】
連結される一対のパネルのうち、一方のパネルの連結端部は連結金具を介して予め梁に固定され、他方のパネルの連結端部にのみ引き寄せ金具を設けて同引き寄せ金具の回転操作を行うことにより、他方のパネルを一方のパネル側に引き寄せて両パネルの端面間の隙間を詰めるようにしたから、隙間を詰めるために要する別部材が１個の引き寄せ金具だけでよくて、部品点数の増加が最小限で済み、また１個の引き寄せ金具を回動させるだけで良いから作業も簡単となる。
【０００９】
なお、以下のような構成としてもよい。  
（１）前記引き寄せ金具には、同引き寄せ金具を回動させるべくハンマ等の打圧具で打圧される被打圧部が設けられている。引き寄せ金具は、ハンマ等の打圧具で被打圧部を打圧することによって軸孔を中心として回動される。  
（２）前記引き寄せ金具には、ドライバ等の回動操作用の工具を抜き差し可能に係止する係止部が設けられている。工具を利用して引き寄せ金具を容易に回動できる。
【００１０】
また、本発明の組立式貯蔵庫のパネル連結装置は、複数枚の断熱性のパネルを並べたパネル列が複数並列に配されることで天井が形成される組立式貯蔵庫において、隣り合うパネル列の連結縁に沿って配される梁と、前記各パネル列にそれぞれ属して端面同士を接合させつつ連結される一対のパネルの各連結端部の間に渡される形態で前記梁に固定される連結金具とが備えられ、前記連結金具の一側が一方のパネルの連結端部に固定可能であるとともに、同連結金具の他側には他方のパネルの連結端部に当てられる取付板が設けられ、この取付板には、当該他方のパネルの連結端部に螺着可能なボルトをクリアランスを持って挿通する挿通孔と、端縁に立ち上がり形成された被押圧板が設けられており、かつ、前記取付板の上面に当接可能であって、前記ボルトの頭部が挿通される軸孔及び周方向に沿って軸孔からの距離が次第に大きくなる周面カムを備えた引き寄せ板と、同引き寄せ板から突設された把手とを有する引き寄せ治具が具備されている。
【００１１】
上記構成による作用は以下のようである。梁の両側から突き合わされる一対のパネルのうち一方のパネルの連結端部が、梁に固定された連結金具の一側に固定される。この連結金具の他側の取付板が他方のパネルの連結端部に当てられ、取付板の挿通孔にボルトが通されて他方のパネルの連結端部に仮止め状態で螺着される。そののち、引き寄せ治具の引き寄せ板が、その軸孔にボルトの頭部を嵌め、かつ周面カムの小距離部を被押圧部に接触させた姿勢で当てられる。続いて把手を持って引き寄せ治具が軸孔を中心に回動され、これに伴い引き寄せ板の周面カムが小距離部から大距離部に向けて次第に被押圧板に接触してこれを押圧するカム機能により、仮止めされたボルトひいては他方のパネルの連結端部が、一方のパネルの連結端部に向けて引き寄せられ、ついには両端面が接合される。そうしたら引き寄せ治具が外され、そののち仮止めされていたボルトを本締めして、引き寄せ金具と他方のパネルの連結端部とを固定すると、両パネルの端面同士が正規に接合した状態において、両パネルの連結部分が梁に対して固定される。  
一対のパネルの隙間を詰める作業を、着脱可能な引き寄せ治具を用いて行えるから、専用の引き寄せ金具を備える必要がなくて部品点数の低減に寄与でき、また引き寄せ治具を１回ずつ回動させるだけで良いから作業も簡単となる。
【発明の効果】
【００１２】
本発明によれば、部品点数を少なく抑えた上で、パネルの連結作業を能率良く行うことができる。
【図面の簡単な説明】
【００１３】
【図１】本発明の実施形態１に係るプレハブ冷蔵庫の一部切欠概略斜視図
【図２】冷蔵庫本体の斜視図
【図３】プレハブ冷蔵庫の設置状態を示す背面図
【図４】梁の構造を示す斜視図
【図５】梁の吊り下げ構造を示す正面図
【図６】冷蔵庫本体の天井壁の形成途中を示す斜視図
【図７】パネルの組み付け順序を示す説明図
【図８】連結金具の斜視図
【図９】連結金具を梁に装着した状態の一側から見た斜視図
【図１０】その他側から見た斜視図
【図１１】引き寄せ金具の斜視図
【図１２】パネルの引き寄せ動作を説明する平面図
【図１３】その断面図
【図１４】本発明の実施形態２に係る引き寄せ金具の斜視図
【図１５】パネルの引き寄せ動作を説明する平面図
【図１６】実施形態３に係る引き寄せ金具の斜視図
【図１７】本発明の実施形態４に係る引き寄せ治具の斜視図
【図１８】パネルの引き寄せ動作を説明する平面図
【図１９】その断面図
【発明を実施するための形態】
【００１４】
以下、本発明の実施形態を添付図面に基づいて説明する。  
＜実施形態１＞
本発明の実施形態１を図１ないし図１３によって説明する。  
図１は、本実施形態に係るプレハブ冷蔵庫１０を概略的に示しており、冷蔵庫の本体１１は、図２に示すように、複数枚の断熱性のパネル１２，１３を組み立てることで方形の箱形に形成され、図３に示すように、倉庫等の建屋Ｔの内部で組み立てられて設置されるようになっている。本体１１の一側面には、断熱性の扉１４が開閉可能に装着されている。本体１１内の天井部分には冷却器１５（蒸発器）が配設されている一方、本体１１の外部には、圧縮機、凝縮器等からなる冷凍ユニット１６が設置され、冷却器１５と冷凍ユニット１６との間が冷媒配管１７により循環接続されて、周知の冷凍回路が構成されている。
【００１５】
本体１１の天井壁２０の構造を詳細に説明する。天井壁２０は、図２に示すように、平面長方形をなす１２枚の断熱性のパネル１２が、間口方向に４列、奥行方向に３列に並んで連結されることで形成されている。なお以下では、説明の便宜上、間口方向を前後方向、奥行方向を左右方向とする。  
一方、図３にも示すように、建屋Ｔの天井からは、２本の梁２２が個別のワイヤ２５によって吊り下げられ、各梁２２は、４枚のパネル１２が前後方向に並んだ左右のパネル列３０Ａ，３０Ｂ及び３０Ｃの連結縁３１に沿って配され、後記するようにパネル１２の連結端部に固定されるようになっている。  
各梁２２は、図４に示すように、複数本のＣ型鋼２３が連結部材２４を介して繋がれることで形成され、天井壁２０の前後方向の寸法に匹敵する長さを有している。各梁２２は、図５に示すように、ワイヤ２５の下端にターンバックル２６を介して設けられた吊り金具２７に長さ方向の中央部が引っ掛けられたのち、同吊り金具２７と梁２２とが結合金具２８で結合されることで、上記のように吊り下げられている。
【００１６】
天井壁２０を構成するパネル１２は、図１３に示すように、ステンレス鋼板等の金属板製の内装板３３と外装板３４とが間隔を開けて対向配置されるとともに、硬質塩化ビニル等の合成樹脂成形品からなる枠材が周縁部に装着されることで外殻体が形成され、この外殻体内に、発泡樹脂からなる断熱材３５が発泡充填されている。各パネル１２のうち、縦または横方向に連結される２枚のパネル１２における互いに密着される周面を構成する枠材には、互いに嵌合される凹凸形状をなす嵌合部３６，３６がそれぞれ形成されている。
【００１７】
天井壁２０は、１２枚のパネル１２を、図７に符号を付した順番で載置して組み付けることで形成されるようになっている。このようにパネル１２が組み付けられる場合、前後方向に並んだ各パネル列３０Ａ，３０Ｂ及び３０Ｃにおけるパネル１２の端面同士はともかく、梁２２を介して左右に連結されるパネル１２の端面同士の間には隙間ｓができる可能性があり、梁２２に固定して支持させる際にその隙間ｓを詰める必要がある。
【００１８】
続いて、左右のパネル１２における端面間の隙間ｓを詰めるための構造について、詳細に説明する。  
本実施形態では、左右一対のパネル１２が連結される箇所３８が８箇所設定されることになり、図１３に示すように、互いに連結される一対のパネル１２のうち左側のパネル１２の連結端部４０Ｒ（右端部）には、第１ボルト４１が螺合される第１ボルト孔４２が、右側のパネル１２の連結端部４０Ｌ（左端部）には、第２ボルト４３が螺合される第２ボルト孔４４がそれぞれ形成されている。
【００１９】
上記した８箇所の連結箇所３８には、左右のパネル１２間を連結するための連結金具５０が配されるようになっている。  
この連結金具５０は、帯状の金属板素材をプレス加工することによって、図８ないし図１０に示すように、梁２２を跨ぐようにして装着可能な門型に形成されており、左右の側板５１の下端には、それぞれ外側に直角曲げされた取付板５２，５３が形成されている。左側の取付板５２には、上記した第１ボルト４１の軸部が挿通される丸孔５４が開口されているとともに、右側の取付板５３には、第２ボルト４３の軸部を、左右方向の移動可能に挿通する長孔５５が開口されている。この長孔５５は、図１３（Ｂ）に参照して示すように、その左端部が、左右のパネル１２が隙間無く連結された場合に、右側のパネル１２の連結端部４０Ｌに立てられた第２ボルト４３が到達するような位置に設定されている。
【００２０】
左側の取付板５２の左側縁と、右側の取付板５３の右側縁とには、それぞれ補強等のために立ち上がり板が形成されており、そのうち右側の取付板５３の立ち上がり板は、後記する引き寄せ金具６０の周面カム６４が当接して押圧される被押圧板５６となっている。  
右側の側板５１における手前側の縁部の下端部には、左側に直角曲げされた補強板５７が形成されており、この補強板５７の根元側の下端部には、右側の側板５１との間で、上記した梁２２の上向きの右側板２２Ｒの突出縁を挟むように挿通する挿通溝５８が形成されている。  
左側の側板５１の下部側の位置には、同連結金具５０を梁２２に固定するべくねじ５９を挿通する挿通孔５９Ａが形成されている。
【００２１】
連結金具５０における右側の取付板５３上には、引き寄せ金具６０が装着されるようになっている。この引き寄せ金具６０は、図１１及び図１２に示すように、平面略扇形をなす本体板６１を備えており、その一方の側縁寄りでかつ先端縁寄りの位置には、上記した第２ボルト４３の軸部を挿通可能な軸孔６２が開口されている。  
本体板６１の先端縁には、約６０度の角度範囲に亘って周面カム６４が形成されている。この周面カム６４は、軸孔６２からの距離が図１２の反時計回り方向に次第に大きくなるような曲線状に形成されている。  
また、本体板６１の他方の側縁からは、ハンマＨにより打圧される被打圧板６７が立ち上がり形成されている。この被打圧板６７は、取付板５３の被押圧板５６の２倍程度の高さである。
【００２２】
上記した引き寄せ金具６０は、取付板５３上に載せられたのち、軸孔６２から長孔５５に通した第２ボルト４３をパネル１２の第３ボルト孔４４にねじ込むことにより、軸孔６２を中心に回動可能に支持され、そのとき第２ボルト４３の長孔５５内の位置に応じて、第２ボルト４３が長孔５５の右端部にあるときには、図１２（Ａ）に示すように、被打圧板６７が斜めをなす回動姿勢を採って周面カム６４の小距離部６５Ｓが被押圧板５６と接触し、第２ボルト４３が長孔５５の左端部にあるときには、同図（Ｂ）に示すように、被打圧板６７が左右方向に真っ直ぐとなった回動姿勢を採って周面カム６４の大距離部６５Ｌが被押圧板５６と接触する設定となっている。
【００２３】
天井壁２０は、以下のような手順で形成される。  
図６に示すように、初めに左側の１列目のパネル列３０Ａ（同図の左奥）が組み付けられる。まず一番奥のパネル１２（＃１）が本体１１の周壁における左奥の角の上面に載せられてコーチスクリュ（図示せず）により固定される。続いて、一番手前のパネル１２（＃２）が本体１１の左手前の角に載せられ、但し同図の矢線ｘに示すように、正規位置よりも手前にずれた位置に載置される。続いて、左側の梁２２が降ろされて、パネル１２の連結端部４０Ｒ（右端部）に亘って載せられる。
【００２４】
次に、左側の梁２２に対し、一番奥の連結箇所３８に対応する位置に連結金具５０が装着される。具体的には、図１０にも示すように、補強板５７の根元側の挿通溝５８に上向きの右側板２２Ｒの突出縁を挿通しつつ跨ぐようにして被せられる。このように、連結金具５０が挿通溝５８に上向きの右側板２２Ｒの突出縁を挿通しつつ装着されることで、梁２２が倒れるように撓むことが防止される。  
続いて、このように梁２２に被着された連結金具５０の左側の取付板５２の丸孔５４に第１ボルト４１を通して、パネル１２（＃１）の連結端部４０Ｒに開口された第１ボルト孔４２にねじ込むことで、パネル１２（＃１）の連結端部４０Ｒが連結金具５０と固定される。
【００２５】
それ以降、パネル１２（＃３）とパネル１２（＃４）とが載せられて、それぞれ奥側のパネル１２（＃１）に対して順次接合され、最後にずらしてあったパネル１２（＃２）がパネル１２（＃４）に接合され、各パネル１２が奥側のパネル１２に接合されるつど、梁２２上の対応する連結箇所３８に連結金具５０が装着され、併せて同連結金具５０にパネル１２の連結端部４０Ｒが第１ボルト４１によって固定される。  
これにより、１列目のパネル列３０Ａの仮組み付けが完了する。そうしたら、同パネル列３０Ａを構成するパネル１２（＃１）〜１２（＃４）の嵌合部３６に対して置きコーティングを施す。なお、これに代えて、梁２２の下面に予めシールテープを貼るようにしてもよい。
【００２６】
次に、中央の２列目のパネル列３０Ｂが組み付けられる。本体１１の周壁上には、図７に示す順番で各パネル１２が載せられて組み付けられるが、２列目については、１列目の左側に対応するパネル１２との間で、端面間の隙間ｓを詰める作業が併せて行われる。  
一番奥のパネル１２（＃５）が、本体１１の奥壁１１Ｂの上面に載せられつつ、奥縁同士を揃えてパネル１２（＃１）の右側に配され、そのとき対応する連結金具５０の右側の取付板５３が同パネル１２（＃５）の連結端部４０Ｌ（左端部）に当てられるとともに、取付板５３上に引き寄せ金具６０が載せられ、引き寄せ金具６０の軸孔６２から取付板５３の長孔５５に第２ボルト４３が挿通されたのち、パネル１２（＃５）の連結端部４０Ｌに開口された第２ボルト孔４４にねじ込まれて仮止めされる。  
そののち連結金具５０は、図９に示すように、左側の側板５１に開口された挿通孔５９Ａにねじ５９を通して、梁２２に設けられたねじ孔（図示せず）にねじ込むことで固定される。
【００２７】
この状態から、左右一対のパネル１２（＃１）とパネル１２（＃５）の端面間の隙間ｓを詰める作業が行われる。それには、図１２（Ａ）及び図１３（Ａ）に示すように、引き寄せ金具６０の回動姿勢を、周面カム６４の小距離部６５Ｓ側が連結金具５０の被押圧板５６に当てられた姿勢とする。この状態から、被打圧板６７をハンマＨで打圧して、引き寄せ金具６０を軸孔６２を中心として図１２（Ａ）の時計回り方向に回動させると、同引き寄せ金具６０の周面カム６４が小距離部６５Ｓから大距離部６５Ｌに向けて次第に被押圧板５６に接触してこれを押圧するカム機能により、仮止めされた第２ボルト４３ひいてはパネル１２（＃５）の連結端部４０Ｌが、左側のパネル１２（＃１）の連結端部４０Ｒに向けて引き寄せられ、ついには図１２（Ｂ）及び図１３（Ｂ）に示すように両端面が接合される。そののち仮止めされていた第２ボルト４３を本締めして、引き寄せ金具６０と連結金具５０とをパネル１２（＃５）の連結端部４０Ｌに固定すると、両パネル１２（＃１），１２（＃５）の端面同士が正規に接合した状態において、両パネル１２（＃１），１２（＃５）の連結部分が梁２２に対して固定される。
【００２８】
そうしたら、右側の梁２２が降ろされて、パネル１２（＃５）の右側の連結箇所３８と対応する位置に連結金具５０が装着され、連結金具５０の左側の取付板５２が第１ボルト４１によって同パネル１２（＃５）の右側の連結端部４０Ｒに固定される。  
それ以降、２列目のパネル１２については、図７に示す順番でパネル１２が載せられて、奥側のパネル１２に対して接合されつつ、上記したと同様の要領により、引き寄せ金具６０をハンマＨで回動操作することに伴い、対をなす左側のパネル１２との隙間ｓを詰める作業が行われたのち連結金具５０を介して梁２２に固定され、併せて、もう一方の右側の梁２２に装着された連結金具５０に固定される動作が繰り返される。これにより、２列目のパネル列３０Ｂの仮組み付けが完了する。
【００２９】
３列目のパネル１２については、同じく図７に示す順番でパネル１２が載せられ、奥側から順次に、パネル１２が前後方向に接合されつつ、それぞれ左側に対応するパネル１２との隙間ｓを詰める作業が順次に行われたのち、連結金具５０を介して梁２２に固定される。  
最後に、パネル１２における本体１１の周壁に載った端縁が、適宜にコーチスクリュによって固定される。  
これにより天井壁２０が完成され、このように形成された天井壁２０では、左側の梁２２を介して左右に連結されるパネル１２の端面同士、並びに右側の梁２２を介して左右に連結されるパネル１２の端面同士が、隙間ｓがない状態に組み付けられる。
【００３０】
本実施形態によれば、連結される左右一対のパネル１２のうち、左のパネル１２の連結端部４０Ｒは連結金具５０を介して予め梁２２に固定され、右側のパネル１２の連結端部４０Ｌにのみ引き寄せ金具６０を設けて同引き寄せ金具６０をハンマＨで打圧して回動させることにより、右側のパネル１２を左側のパネル１２に引き寄せて両パネル１２の端面間の隙間ｓを詰めるようにしたから、各連結箇所３８において隙間ｓを詰めるために要する別部材が１個の引き寄せ金具６０だけでよくて、部品点数の増加が最小限で済み、また１個の引き寄せ金具６０を回動させるだけで良いから作業も簡単となる。
【００３１】
＜実施形態２＞
次に、本発明の実施形態２を図１４及び図１５によって説明する。  
この実施形態２では、引き寄せ金具の形状、特に同引き寄せ金具を回動操作する部分に係る形状に変更が加えられている。  
実施形態２の引き寄せ金具６０Ａは、実施形態１の引き寄せ金具６０の本体板６１と同じ形状の本体板６１と、実施形態１の引き寄せ金具６０における被打圧板６７に相当する立ち上がり板７０とが設けられ、その立ち上がり板７０に、回転操作用工具としてのドライバＤの先端が挿通される係止孔７１が開口されている。  
その他の構造については、上記実施形態１と同様であって、同一機能を有する部材、部位については、同一符号を付すことで重複した説明は省略する。
【００３２】
実施形態２の引き寄せ金具６０Ａを用いてパネル１２の引き寄せ操作を行う場合は、図１５（Ａ）に示すように、引き寄せ金具６０Ａの回動姿勢を、周面カム６４の小距離部６５Ｓ側が連結金具５０の被押圧板５６に当てられた姿勢とし、この状態から立ち上がり板７０の係止孔７１にドライバＤの先端を挿通して、ドライバＤを同図の時計回り方向に回動することで、引き寄せ金具６０Ａを軸孔６２を中心として同方向に回動させる。引き寄せ金具６０Ａの周面カム６４が小距離部６５Ｓから大距離部６５Ｌに向けて次第に被押圧板５６に接触してこれを押圧するカム機能により、仮止めされた第２ボルト４３ひいては右側のパネル１２の連結端部４０Ｌが、左側のパネル１２の連結端部４０Ｒに向けて引き寄せられ、図１５（Ｂ）に示すように、周面カム６４の大距離部６５Ｌが被押圧板６４と接触するまで回動したところで、左右のパネル１２の両端面が接合されることになる。  
引き寄せ金具をハンマで打圧する実施形態１では、ハンマで打圧した際に衝撃で打撃方向にパネル１２が移動して継ぎ目がずれるおそれがあり、その調整が必要となる場合があるが、本実施形態２では打撃が無いためにパネル１２のずれが回避でき、調整が不要となって作業がさらに楽になる。
【００３３】
＜実施形態３＞
図１６は、本発明の実施形態３に係る引き寄せ金具６０Ｂを示す。実施形態３の引き寄せ金具６０Ｂは、ドライバＤの先端を係止する係止部を設ける部分の構造が、立ち上がり板７３の上縁における幅方向の中央部に形成された背の高い突片７４を外側にＬ字形に切り出すことによって、立ち上がり板７３の上縁との間に、ドライバＤの先端が上方から嵌められる係止溝７５が形成された構造となっている。  
実施形態２と同様に、ハンマの打撃に伴うパネル１２のずれが回避でき、余分な調整作業が不要となる。
【００３４】
＜実施形態４＞
本発明の実施形態４を図１７ないし図１９によって説明する。この実施形態４では、左右一対のパネル１２の隙間ｓを詰める作業を、引き寄せ治具８０を用いて行う場合を例示している。  
引き寄せ治具８０は、図１７に示すように、実施形態１に示した引き寄せ金具６０の本体板６１と同様に、軸孔６２Ａと周面カム６４とを設けた引き寄せ板８１を備えるとともに、この引き寄せ板８１の所定の周縁位置から、所定寸法立ち上ったのち径方向に延びた把手８２を設けた形状である。ただし、引き寄せ板８１に開口された軸孔６２Ａは、第２ボルト４３の頭部４３Ａに回動可能に嵌る大きさであり、また把手８２の立ち上がり寸法は、後記するように当該引き寄せ治具８０の引き寄せ板８１が、連結金具５０における第２ボルト４３が螺着される側（右側）の取付板５３に載せられた場合に、同取付板５３の端縁に立ち上がり形成された被押圧板５６を十分に超える寸法である。また、この取付板５３の被押圧板５６は、図１９に示すように、上縁が小角度αだけ内側に傾いた傾斜姿勢で形成されている。  
その他の構造については、実施形態１と同様である。
【００３５】
実施形態４における引き寄せ操作は、以下のようにして行われる。  
図１９に示すように、梁２２の両側から突き合わされる左右一対のパネル１２のうち、左側のパネル１２の連結端部４０Ｒ（右端部）に対して、梁２２に固定された連結金具５０の左側の取付板５２が当てられ、同取付板５２の丸孔５４に第１ボルト４１を通して第１ボルト孔４２にねじ込むことで、左側のパネル１２の連結端部４０Ｒが連結金具５０に固定される。  
この連結金具５０の右側の取付板５３は、右側のパネル１２の連結端部４０Ｌ（左端部）上に載せられ、同取付板５３の長孔５５に第２ボルト４３が通されたのち連結端部４０Ｌの第２ボルト孔４４にねじ込まれて仮止めされる。
【００３６】
そうしたら、図１８（Ａ）及び図１９（Ａ）に示すように、引き寄せ治具８０が把手８２を後に向けた姿勢とされて、引き寄せ板８１が、軸孔６２Ａに第２ボルト４３の頭部４３Ａを嵌めつつ取付板５３上に当てられる。把手８２が後向きの回動姿勢を採っているときには、引き寄せ板８１の周面カム６４の小距離部６５Ｓ側が被押圧板５６に対応した状態となる。この状態から、把手８２を持って引き寄せ治具８０（引き寄せ板８１）を軸孔６２Ａを中心に図１８（Ａ）の時計回り方向に回動すると、これに伴い引き寄せ板８１の周面カム６４が小距離部６５Ｓから大距離部６５Ｌに向けて次第に被押圧板５６に接触してこれを押圧するカム機能により、仮止めされた第２ボルト４３ひいては右側のパネル１２の連結端部４０Ｌ（左端部）が、左側のパネル１２の連結端部４０Ｒ（右端部）に向けて引き寄せられ、ついには図１８（Ｂ）及び図１９（Ｂ）に示すように、左右のパネル１２の両端面が接合される。
【００３７】
なお、被押圧板５６が内側に若干傾いた傾斜姿勢に形成されているから、引き寄せ板８１の周面カム６４が被押圧板５６に押し付けられつつ回動する際に、被押圧板５６で押さえ込まれることによって、引き寄せ板８１が第２ボルト４３の頭部４３Ａから抜け出て外れることが防止される。  
上記のようにパネル１２の引き寄せ作業が完了したら、軸孔６２Ａを第２ボルト４３の頭部４３Ａから抜きつつ引き寄せ治具８０が外され、そののち仮止めされていた第２ボルト４３を本締めして、連結金具５０の右側の取付板５３を右側のパネル１２の連結端部４０Ｌに固定すると、左右のパネル１２の端面同士が正規に接合した状態において、両パネル１２の連結部分が梁２２に対して固定される。  
このような左右のパネル１２の引き寄せ動作と梁２２への固定動作とが、引き寄せ治具８０を用いて都合８箇所の連結箇所３８において順次に行われる。
【００３８】
実施形態４によれば、連結される左右一対のパネル１２の隙間ｓを詰める作業を、着脱可能な引き寄せ治具８０を用いて行えるから、専用の引き寄せ金具を備える必要がなくて部品点数の低減に寄与でき、また引き寄せ治具８０を各連結箇所３８において１回ずつ回動させるだけで良いから作業も簡単となる。  
また、上記実施形態２，３と同様、ハンマの打撃に伴うパネル１２のずれが回避できて余分な調整が不要となり、作業能率のさらなる向上に寄与し得る。
【００３９】
＜他の実施形態＞
本発明は上記記述及び図面によって説明した実施形態に限定されるものではなく、例えば次のような実施形態も本発明の技術的範囲に含まれる。  
（１）梁については、上記実施形態に例示したＣ型鋼を素材としたものに限らず、Ｈ型鋼を素材としたものや、Ｃ型鋼を背中合わせに組み付けたもの等、他の形式のものを用いてもよい。  
（２）連結金具にはついては、左右のパネルに個々に固定できるように分割した形状としてもよい。その場合は、個々に梁に固定されることになる。
【００４０】
（３）パネルの組み付けの手順としては、上記実施形態に例示したものはあくまでも一例であって、例えば各パネル列において、パネルを奥から順次に並べる等、適宜に変更することができる。  
（４）上記実施形態に示した天井壁を構成するパネルの枚数や配置はあくまでも一例であって、梁を介して一対のパネルが連結される箇所を有する限り、パネルの枚数や配置は任意である。
【符号の説明】
【００４１】
１０…プレハブ冷蔵庫（組立式貯蔵庫）  １１…本体  １２…パネル  ２０…天井壁  ２２…梁  ３０Ａ，３０Ｂ．３０Ｃ…パネル列  ３１…連結縁  ３６…嵌合部  ３８…連結箇所  ４０Ｒ，４０Ｌ…連結端部  ４３…第２ボルト（ボルト）  ４３Ａ…頭部  ５０…連結金具  ５２，５３…取付板  ５５…長孔（挿通孔）  ５６…被押圧板  ６０，６０Ａ，６０Ｂ…引き寄せ金具  ６２，６２Ａ…軸孔  ６４…周面カム  ６５Ｓ…小距離部  ６５Ｌ…大距離部  ６７…被打圧板  ７０…立ち上がり板  ７１…係止孔（係止部）  ７３…立ち上がり板  ７５…係止溝（係止部）  ８０…引き寄せ治具  ８１…引き寄せ板  ８２…把手  Ｄ…ドライバ（回動操作用の工具）  Ｈ…ハンマ（打圧具）
【図１】
2011137329.tif 000003
【図２】
2011137329.tif 000004
【図３】
2011137329.tif 000005
【図４】
2011137329.tif 000006
【図５】
2011137329.tif 000007
【図６】
2011137329.tif 000008
【図７】
2011137329.tif 000009
【図８】
2011137329.tif 000010
【図９】
2011137329.tif 000011
【図１０】
2011137329.tif 000012
【図１１】
2011137329.tif 000013
【図１２】
2011137329.tif 000014
【図１３】
2011137329.tif 000015
【図１４】
2011137329.tif 000016
【図１５】
2011137329.tif 000017
【図１６】
2011137329.tif 000018
【図１７】
2011137329.tif 000019
【図１８】
2011137329.tif 000020
【図１９】
2011137329.tif 000021